(57)【要約】【課題】偽造防止効果の高い透かし標章部を備えた偽造防止帳票と、その製造方法とを提案する。【解決手段】偽造防止帳票は、光の透過により視認可能な透かし主画像１１と、該透かし主画像１１に比して透光性が低い透かし秘匿画像１２とから構成された透かし標章部を備えたものとしたから、透かして目視した場合に、該透かし主画像１１を視認できるものの、透かし秘匿画像１２を視認し難い。そのため、透かし秘匿画像１２が複製され難く、該透かし秘匿画像１２の有無により真贋判定できるから、偽造防止効果が高い。また、透かし主画像１１と透かし秘匿画像１２とを一の印刷版により印刷するようにしたから、印刷工程に要する時間とコストを抑制でき、生産性が向上する。【選択図】図３
2017030326.tif 000002
【特許請求の範囲】
【請求項１】
シート状基材の表面に、白色顔料として酸化チタンを含有する紙色の遮光インキが印刷塗布された印刷部と印刷塗布されていない非印刷部とで透過度が相違する透かし標章部が形成されてなるものであって、
前記透かし標章部は、
光の透過により視認可能な透かし主画像と、
該透かし主画像に比して、該光の透過による視認性が低い透かし秘匿画像と
を備えてなるものであることを特徴とする偽造防止帳票。
【請求項２】
透かし秘匿画像は、１００μｍ以上かつ１０００μｍ以下の文字サイズの一又は複数のマイクロ文字により構成されてなるものであることを特徴とする請求項１に記載の偽造防止帳票。
【請求項３】
透かし秘匿画像は、幅２００μｍ以下の極細線で描かれた彩文により構成されてなるものであることを特徴とする請求項１に記載の偽造防止帳票。
【請求項４】
遮光インキは、酸化チタンの含有量が３０％以上かつ７０％以下であることを特徴とする請求項１乃至請求項３のいずれか１項に記載の偽造防止帳票。
【請求項５】
請求項１乃至請求項４のいずれか１項に記載の偽造防止帳票の製造方法であって、
透かし主画像と透かし秘匿画像とを印刷する一の印刷版により、透かし標章部を印刷する印刷工程を備えていることを特徴とする偽造防止帳票の製造方法。
【発明の詳細な説明】
【技術分野】
【０００１】
本発明は、有価証券や証明書等に使用される偽造防止帳票および偽造防止帳票の製造方法に関する。
【背景技術】
【０００２】
有価証券や証明書等の帳票には、真贋を判定でき、偽造を防止できる画像を備えたものが種々提案されている。具体的には、原紙に透かし標章を形成した帳票が、従来から知られている。透かし標章は、紙面を透かして目視することで視認できることから、該透かし標章が視えるか否かによって、真正の帳票か否かを判定できる。この透かし標章としては、原紙に形成された凹凸により構成されるものが、よく知られている。かかる構成の透かし標章は、前記凹凸により厚みが異なることによって、光の透過度に差を生じさせ、紙面を透かすことにより視認できるものである。
【０００３】
一方、透かし標章は、上記した紙面の凹凸による構成の他に、白色顔料の酸化チタンを含有したインキにより印刷されるものが提案されている（例えば、特許文献１）。かかる構成は、前記インキにより印刷した部位が、該インキで印刷していない部位に比して、光の透過度が低くなることから、紙面を透かすことで、透かし標章を視認できる。
【先行技術文献】
【特許文献】
【０００４】
【特許文献１】特開２００１−２６１７７号公報
【発明の概要】
【発明が解決しようとする課題】
【０００５】
ところで、上述した透かし標章は、紙面を透かして目視した場合に、容易に真贋判定できるように、比較的簡単な文字や絵柄などである場合が多い。そして、透かし標章自体が広く知られていると共に、その形成技術も、上述したように既に公知である。こうしたことから、透かし標章は、容易に確認されて複製されてしまう虞があり、その偽造防止効果に限界ある。そのため、偽造防止効果の高い透かし標章が希求されていた。
【０００６】
本発明は、高い偽造防止効果を奏する透かし標章を備えた偽造防止帳票と、該偽造防止帳票の製造方法とを提案するものである。
【課題を解決するための手段】
【０００７】
本発明は、シート状基材の表面に、白色顔料として酸化チタンを含有する紙色の遮光インキが印刷塗布された印刷部と印刷塗布されていない非印刷部とで透過度が相違する透かし標章部が形成されてなるものであって、前記透かし標章部は、光の透過により視認可能な透かし主画像と、該透かし主画像に比して、該光の透過による視認性が低い透かし秘匿画像とを備えてなるものであることを特徴とする偽造防止帳票である。
【０００８】
かかる構成にあって、透かし標章部は、遮蔽インキを印刷塗布した印刷部が非印刷部に比して光の透過度が低いことにより、透かして目視することで、両者を区別して視認できることから、該透かし標章部を構成する透かし主画像を視認できるものである。さらに、透かし標章部は、前記透かし主画像に加えて、透かして目視した場合にも視認し難い透かし秘匿画像を備えるものである。ここで、一般的な「透かし標章」は、透かして目視することで画像を視認できるものであり、目視で視認できることが既成概念化されていると言える。そのため、本発明の構成によれば、透かして目視することで、透かし主画像を視認できることから、視認し難い透かし秘匿画像がさらに存在するということに想到し難く、その存在を隠す効果が極めて高い。これにより、例えば、偽造しようとする者は、透かし主画像を視認できることで満足し、透かし秘匿画像の存在に思い至り難いため、該透かし主画像のみを複製して偽造してしまう。そして、この複製物は、透かし秘匿画像が存在しないことから、真贋判定で正確かつ容易に偽物と判断できる。こうしたことから、本発明の構成によれば、偽造を防止する効果を向上することができる。
【０００９】
ここで、透かし主画像としては、遮光インキが印刷塗布された印刷部からなる画像、該印刷部により画成された非印刷部からなる画像、該印刷部と非印刷部との両方で形成される画像のいずれであっても良い。透かし秘匿画像にあっても、同様に、前記した印刷部からなる画像、非印刷部からなる画像、両方で形成される画像のいずれの画像であっても良い。
【００１０】
尚、透かし秘匿画像は、透かして目視するだけでは視認し難いことから、真贋判定には、透かし秘匿画像を視認できる特定の装置を用いることが求められる。
【００１１】
上述した本発明の偽造防止帳票にあって、透かし秘匿画像は、１００μｍ以上かつ１０００μｍ以下の文字サイズの一又は複数のマイクロ文字により構成されてなるものである構成が提案される。
【００１２】
ここで、マイクロ文字としては、ひらがな、カタカナ、漢字、英字などの言語を構成する文字だけでなく、数字や記号であっても良い。記号には、「〇」、「△」などの図形記号や、「×」、「＋」、「→」など他の記号を用いることも可能である。また、透かし秘匿画像は、所定の隠蔽情報を示すように、複数のマイクロ文字を所定順序で並べて配した構成が好適である。これにより、真贋判定を一層容易かつ正確に行うことができる。また、マイクロ文字としては、秘匿性と、印刷精度や生産性とのバランスを考慮すると、２００μｍ以上かつ８００μｍ以下の文字サイズが好適である。
【００１３】
かかる構成にあって、透かし秘匿画像は、極めて微細なマイクロ文字で構成されていることから、透かして目視された場合に、極めて視認され難く、秘匿性が高い。これは、極微細なマイクロ文字であるだけでも目視し難いことに加えて、該マイクロ文字を、紙色の遮光インキを印刷塗布した印刷部と非印刷部との透過度の相違で視せるようにしていることに因る。したがって、本構成の透かし秘匿画像は一層複製され難く、真贋判定により確実に偽物を判定できることから、偽造防止効果が一層向上する。
【００１４】
上述した本発明の偽造防止帳票にあって、透かし秘匿画像は、幅２００μｍ以下の極細線で描かれた彩文により構成されてなるものである構成が提案される。ここで、彩文の極細線は、秘匿性と、印刷精度や生産性とのバランスを考慮すると、１００μｍ以上かつ２００μｍ以下の線幅とすることが好適である。
【００１５】
かかる構成の透かし秘匿画像は、彩文を極細線により描いたものであることから、透かして目視された場合に、極めて視認され難く、秘匿性が高い。これは、極細線を、紙色の遮光インキを印刷塗布した印刷部と非印刷部との透過度の相違で視せるようにしていることに因る。したがって、本構成の透かし秘匿画像は一層複製され難く、真贋判定により確実に偽物を判定できることから、偽造防止効果が一層向上する。
【００１６】
上述した本発明の偽造防止帳票にあって、遮光インキは、酸化チタンの含有量が３０％以上かつ７０％以下である構成が提案される。
【００１７】
かかる構成にあっては、酸化チタンの含有量を上記範囲とすることにより、印刷部と非印刷部との透過度に明らかな差を生じさせることができるため、透かして目視した場合に、透かし主画像をはっきりと視認し易い。さらに、この含有量の遮光インキは、印刷する際の作業性に優れることから、製造の際に生産性が高い。
【００１８】
尚、遮光インキとしては、酸化チタンの含有量が４０％以上かつ６０％以下であるものが、さらに好適である。この含有量とすることによって、上記した作用効果が一層向上する。
【００１９】
一方、本発明は、上述した偽造防止帳票の製造方法であって、透かし主画像と透かし秘匿画像とを印刷する一の印刷版により、透かし標章部を印刷する印刷工程を備えていることを特徴とする偽造防止帳票の製造方法である。
【００２０】
かかる方法にあっては、一の印刷版で印刷することにより、透かし主画像と透かし秘匿画像との両方を一度に印刷できることから、印刷工程にかかる時間とコストを抑制することができる。ここで、透かし秘匿画像は、透かし主画像と共に透かし標章部を構成するものであり、上記遮光インキにより前記一の印刷版で印刷される。そして、印刷条件を適切に定めることにより、一の印刷版で両者を印刷でき、上記したマイクロ画像または極細線の彩文という極めて細かな画像であっても、精度良く印刷できる。したがって、本製造方法によれば、上述した所望の作用効果を奏する偽造防止帳票を安定して製造でき、その生産性を向上できる。
【発明の効果】
【００２１】
本発明の偽造防止帳票は、上述したように、透かし標章部が、光の透過により視認可能な透かし主画像と該透かし主画像に比して透光性が低い透かし秘匿画像とから構成されたものであるから、透かして目視した場合に、該透かし主画像を視認できるものの、透かし秘匿画像を視認し難い。そのため、仮に複製される場合にあっても、透かし秘匿画像が複製され難いことから、該透かし秘匿画像の有無により正確かつ容易に真贋判定することができる。したがって、本発明の偽造防止帳票は、偽造を防止する効果が高い。
【００２２】
また、本発明の偽造防止帳票の製造方法は、上述したように、透かし主画像と透かし秘匿画像とを一の印刷版により印刷するようにした方法であるから、該印刷工程に要する時間とコストとを抑制でき、生産性も高い。
【図面の簡単な説明】
【００２３】
【図１】実施例１の偽造防止帳票１の透かし標章部２を拡大して示す説明図である。
【図２】透かし標章部２を透かして視た場合の説明図である。
【図３】図２中のＸ部を、ＵＶ照明タイプの顕微鏡で拡大して視た説明図である。
【図４】偽造防止帳票１の製造工程における、透かし印刷工程を示す説明図である。
【図５】実施例２の偽造防止帳票３１の透かし標章部３２を拡大して示す説明図である。
【図６】透かし標章部３２を透かして視た場合の説明図である。
【図７】図６中のＹ部を、ＵＶ照明タイプの顕微鏡で拡大して視た説明図である。
【図８】（ａ）実施例１の透かし標章部２を観察した結果と、（ｂ）実施例２の透かし標章部３２を観察した結果とを示す図表である。
【発明を実施するための形態】
【００２４】
本発明にかかる実施形態を、以下の実施例１，２に従って説明する。
【実施例１】
【００２５】
本実施例１の偽造防止帳票１は、有価証券や証明書等に利用されるものであり、図１，２に示すように白色の原紙１０の表面上に透かし標章部２が印刷されている。この透かし標章部２は、原紙１０と同じ白色の遮光インキを印刷塗布することにより形成される。尚、本実施例の原紙１０が、本発明にかかるシート状基材である。
【００２６】
ここで、遮光インキは、白色顔料である酸化チタンを含有する紫外線硬化型インキからなり、印刷塗布後に紫外光を照射することにより硬化することから、速乾性と耐熱性とを有する。そのため、レーザープリンタ等のように急激に高熱が加わりかつ速乾性が要求される印刷手段に好適に用いられ、印刷精度が高く、仕上がりも良好である。
【００２７】
白色顔料である酸化チタンは光を遮断する効果を有することから、透かし標章部２では、遮光インキを印刷塗布した印刷部５が、該遮光インキを印刷塗布していない非印刷部６に比して光の透過度が低い。特に、本実施例１では、遮光インキが、酸化チタンの含有量を４０％〜６０％としたものであるから、印刷部５と非印刷部６との透過度の差が比較的大きい。そのため、紙を透かして目視すると、遮光インキが印刷塗布された印刷部５と印刷塗布されていない非印刷部６との透過度の相違により、図２のように、該印刷部５と非印刷部６とで形成される画像を明瞭に視認できる。
【００２８】
尚、本実施例１の偽造防止帳票１は、図１のように、遮光インキを印刷塗布して形成された透かし標章部２を覆うように、原紙１０の表面に、網点印刷や同一図形の繰り返し印刷などによる隠蔽用の飾りパターン７が印刷形成される。この飾りパターン７は、有色のインキにより印刷される。そのため、飾りパターン７により、透かし標章部２をさらに効果的に隠蔽でき、光に透かして目視しなければ、該透かし標章部２を確認できない。
【００２９】
次に、本発明の要部について説明する。
実施例１では、図１のように、透かし標章部２が、所定の図柄（例えば、花の図柄）に形成された印刷部５と、該印刷部５の周囲の非印刷部６とから構成される。この透かし標章部２を光に透かして目視すると、図２のように、印刷部５と非印刷部６との透過度の差により、該印刷部５が示す花画像を視認することができる。こうして透かし標章部２を透かして目視できる花画像が、本発明にかかる透かし主画像１１である。
【００３０】
ここで、本実施例１の印刷部５は、遮光インキをベタ塗りするように印刷塗布して形成されているから、その周囲の非印刷部６との境界が明瞭に表現される。そのため、透かして目視した場合に、透かし主画像１１を一層明瞭に視認できる。
【００３１】
さらに、本実施例１では、図３のように、印刷部５の内部に、複数のマイクロ文字からなる透かし秘匿画像１２が、遮光インキを塗布しない白抜き画像として形成されている。透かし秘匿画像１２は、３００μｍ〜４００μｍの文字サイズのマイクロ文字を複数列べて構成されたものであり、例えば、複数の英数字を所定順序で列べたものとして形成され得る。こうした透かし秘匿画像１２は、極めて小さなマイクロ文字であることだけでも、目視し難いことに加え、その周囲に塗布された遮光インキとの透過度の相違で視せるものであることから、透かして目視するだけでは視認できない（図８（ａ）参照）。さらに、本実施例１の構成では、印刷部５が遮光インキのベタ塗りにより形成され、その周囲の非印刷部６との境界が明瞭であることから、透かして目視した場合に、透かし主画像１１をはっきりと視認できる反面、該印刷部５の内部で白抜きされた透かし秘匿画像１２が目立ち難く、該透かし秘匿画像１２の存在を隠蔽する効果が高い。
【００３２】
こうした透かし秘匿画像１２は、例えば顕微鏡を用いることで視認できる。しかし、顕微鏡にも様々な種類があり、透かし秘匿画像１２を明瞭に視認できるタイプは限られる。一般的な光学顕微鏡は、可視光を対象物に照射して光学レンズで観察するものであり、該対象物の斜め上方に光源を配置したリング照明タイプや、該光源を対象物の真上に配置した落射照明タイプ等がある。リング照明タイプの顕微鏡で透かし標章部２を観察した結果、図８（ａ）のように、透かし秘匿画像１２を視認することが困難であった。これは、光源が対象物の斜め上方にあるため、紙面で反射する光と遮光インキを塗布したインキ面で反射する光とで明るさに差が生じ難いことに因る。また、落射照明タイプの顕微鏡で観察した結果、透かし秘匿画像１２の存在を視認できるものの、その内容まで明瞭に視認することは困難である。これは、真上から照射される光が正反射するため、遮光インキを塗布したインキ面と塗布しない紙面との平滑性の差によって反射光の明るさに差が生じることに因るが、この差は小さいことから、前記のように内容まで明瞭に視認できない。一方、光学顕微鏡には、紫外光を照射するＵＶ照明タイプのものもある。ＵＶ照明タイプのものは、前記可視光を照射するタイプに比して使用用途が限定的であり、高価である。ＵＶ照明タイプの顕微鏡で透かし標章部２を観察すると、透かし秘匿画像１２を明瞭に視認することができ、その内容もはっきりと確認できる。これは、紙が紫外光を反射する一方、本発明の遮光インキが紫外光を吸収することから、紙面とインキ面とで反射光に明瞭な差が生じることに因る。尚、ＳＥＭ等の電子顕微鏡を使用すれば、透かし秘匿画像１２を明瞭に視認可能であるが、電子顕微鏡は使用用途が一層限られ、かつ一層高価である。
【００３３】
このように透かし秘匿画像１２を正確に視認するためには、特殊な顕微鏡を必要とし、容易に視認することが極めて困難である。そして、視認方法が限られることによって、透かし秘匿画像１２の秘匿性は極めて高い。尚、透かし秘匿画像１２の視認方法が限られることは、透かし秘匿画像１２が、極小のマイクロ文字であることに加え、周囲の遮光インキとの透過度の相違で視せるものであることに因る。
【００３４】
本実施例１の偽造防止帳票１は、光に透かして目視すると、透かし標章部２の印刷部５で光を反射し、非印刷部６で光を透過することから、そのコントラストにより、該透かし標章部２を構成する透かし主画像１１を明瞭に視認できる。この透かし主画像１１は、偽造防止帳票１の真贋判定に用いることができるものであり、上述したように該偽造防止帳票１を有価証券や証明書などに用いた場合に、光に透かして目視することでその有無を確認でき、該有価証券や証明書等の真贋を判定することができる。尚、偽造防止帳票１は、透かし標章部２を原紙と同じ白色の遮蔽インキによる印刷で形成しており、さらに、飾りパターン７で覆っていることから、光に透かさなければ、透かし標章部２の存在を確認できず、該透かし標章部２を隠蔽する効果が高い。
【００３５】
さらに、本実施例１の透かし標章部２は、複数のマイクロ文字から構成される透かし秘匿画像１２も備えている。この透かし秘匿画像１２は、極小なマイクロ文字であることに加え、周囲の遮光インキとの透過度の相違で視せるものであることから、上記のように透かして目視するだけでは視認できない。さらに、可視光を用いた一般的な光学顕微鏡を用いても視認困難であり、透かし秘匿画像１２を明瞭に視認するためには、ＵＶ照明タイプの光学顕微鏡や電子顕微鏡などの特殊な顕微鏡を必要とする。このように透かし秘匿画像１２は、秘匿性が極めて高く、前記の特殊な顕微鏡を用いなければ視認できないことから、真贋判定に用いることで、偽造防止帳票１の真贋判定精度を著しく向上できる。すなわち、上記の透かし主画像１１は、光に透かすことで、比較的容易に目視できることから、複製されてしまう虞もあるが、透かし秘匿画像１２は、目視できず、その画像の内容を正確に知るためには特殊な顕微鏡を必要することから、複製される可能性が極めて低い。そのため、透かし秘匿画像１２をＵＶ照明タイプの顕微鏡を用いて真贋判定することにより、有価証券や証明書等の真贋を高精度で判定できる。尚、透かし秘匿画像１２は、複数のマイクロ文字により構成されるものであることから、仮に、偽造しようとする者が、その存在と内容とを確認できたとしても、高精度で複製することは極めて困難である。したがって、偽造を防止する効果も高い。
【００３６】
また、透かし秘匿画像１２を、所定の情報内容を複数のマイクロ文字で表したものとすれば、上記した特殊な顕微鏡を用いて視認することによって、該情報内容を容易に知ることができるため、真贋判定の精度を効果的に高めることもできる。
【００３７】
次に、上述した実施例１の偽造防止帳票１の製造方法について説明する。
偽造防止帳票１を製造する工程としては、原紙の表面に、透かし標章部２を印刷する第一印刷工程と、飾りパターン７を印刷する第二印刷工程と、所望の情報を印刷する第三印刷工程とを備える。また、偽造防止帳票１が、透かし標章部２と別に、さらに潜像などを備えた構成とする場合には、該潜像を印刷する印刷工程も行う。尚、前記した第二印刷工程、第三印刷工程、潜像の印刷工程などは、従前の印刷工程と同様に実施できることから、その詳細については省略する。
【００３８】
上記の第一印刷工程は、原紙に透かし標章部２を印刷する透かし印刷工程と、印刷塗布した遮光インキを乾燥させる乾燥工程とから構成される。透かし印刷工程では、図４のように、外周面に印刷版５７が周設された版ローラ５２と、該版ローラ５２と対向するように配設された圧ローラ５３と、該版ローラ５２に遮光インキを付着させるインキローラ５４とを備えた版印刷装置５１を使用する。版ローラ５２の外周面の印刷版５７には、凹凸が形成されており（図示せず）、該印刷版５７の表面にインキローラ５４が当接することによって、該インキローラ５４から該印刷版５７の凸部（図示せず）に遮光インキが付着される。そして、版ローラ５２と圧ローラ５３との間を通過する原紙１０の表面に、該版ローラ５２の印刷版５７から遮光インキが転写されることで、透かし標章部２を印刷する。ここで、版ローラ５２の印刷版５７は、凸部に付着した遮光インキを転写して印刷塗布するものであることから、該凸部が印刷部５の形状を成す。さらに、この凸部には、透かし秘匿画像１２の形状を成す凹部が形成されている。
【００３９】
こうした一の印刷版５７を備えた版ローラ５２を、前記のように、原紙１０の表面に圧接することにより、凸部に付着させた遮光インキを該原紙１０の表面に転写させて、印刷部５と非印刷部６とを形成する。これにより、透かし主画像１１と透かし秘匿画像１２とを備えた透かし標章部２が印刷される。ここで、本実施例にあっては、透かし主画像１１を明瞭に印刷でき且つ透かし秘匿画像１２を高精度で印刷できるように、インキローラ５４から印刷版５７の凸部に遮光インキを付着させる際の、付着量を適切に設定している。尚、この付着量は、透かし秘匿画像１２を構成するマイクロ文字の文字サイズに応じて適宜設定される。
【００４０】
上記の版印刷装置５１による透かし印刷工程の後に、上記の乾燥工程を行う（図示せず）。乾燥工程では、遮光インキを転写した原紙の表面に、紫外光を照射することで行う。遮光インキは、上記のように紫外線硬化型インキであることから、紫外光により硬化することから、この乾燥工程で紫外光を照射することにより、原紙の表面に印刷部５を定着できる。尚、こうした乾燥工程は、従来と同様に実施できることから、その詳細については省略する。
【００４１】
本実施例の製造方法では、上述したように、透かし印刷工程で、一の印刷版５７（版ローラ５２）によって、透かし主画像１１と透かし秘匿画像１２とを一度に印刷できることから、透かし標章部２の印刷に要する時間と手間とを可及的に低減できる。特に、透かし秘匿画像１２は、マイクロ文字からなる極めて微細な画像であるにも関わらず、版ローラ５２の印刷版５７に付着させる遮光インキの付着量を適切に設定することによって、一の印刷版５７で透かし主画像１１と同時に印刷できる。したがって、本実施例の透かし印刷工程によれば、透かし標章部２を精度良く印刷でき、かつその生産性も高い。
【００４２】
尚、本実施例にあって、透かし印刷工程が、本発明にかかる印刷工程であり、また、販ローラ５２の外周面の印刷版５７が、本発明にかかる一の印刷版である。
【実施例２】
【００４３】
実施例２の偽造防止帳票３１は、図５，６のように、透かし標章部３２が、実施例１と同じ透かし主画像１１を備える共に、遮光インキにより幅２００μｍの極細線で描いた所定形状の彩文から構成される透かし秘匿画像４２を備える。尚、実施例２の構成は、透かし標章部３２が、マイクロ文字からなる透かし秘匿画像１２を備えず、彩文からなる透かし秘匿画像４２を備えたものであること以外は、上述した実施例１と同じであることから、同じ構成要素には同じ符号を記し、その説明を省略した。
【００４４】
透かし標章部３２の透かし主画像１１は、実施例１と同様に、遮光インキをベタ塗りした印刷部５により構成されている。一方、図７のように、透かし秘匿画像４２は、その彩文を構成する幅２００μｍの極細線が、遮光インキの印刷塗布により描かれており、透かし主画像１１に隣接するように形成される。こうした透かし秘匿画像４２は、遮光インキにより描いた極細線と、その周囲の非印刷部６との透過度の相違で視せるものであるが、該極細線が幅２００μｍという極めて細い線であることから、透かして目視するだけでは視認することができない（図８（ｂ）参照）。さらに、本実施例２の構成では、上述した実施例１と同様に、透かし主画像１１が遮光インキのベタ塗りにより形成され、その周囲の非印刷部６との境界が明瞭であることから、透かして目視した場合に、透かし主画像１１をはっきりと視認できる反面、該透かし主画像１１の周囲に隣接する透かし秘匿画像４２が目立ち難く、該透かし秘匿画像４２の存在を隠蔽する効果が高い。
【００４５】
本実施例２の透かし秘匿画像４２にあっても、上述した実施例１と同様に、ＵＶ照明タイプの光学顕微鏡で観察することで、図８（ｂ）のように、明瞭に視認できる。そして、可視光を用いた一般的な光学顕微鏡では、明瞭に視認できない。したがって、本実施例２の透かし秘匿画像４２にあっても、視認方法が限られ、秘匿性が極めて高い。
【００４６】
本実施例２の偽造防止帳票３１は、光に透かして目視することで、透かし主画像１１を明瞭に視認できる。そのため、上述した実施例１と同様に、有価証券や証明書等に用いることで、透かし主画像１１の有無によって真贋を判定できる。
【００４７】
さらに、透かし標章部３２の透かし秘匿画像４２は、極細線で描かれた彩文から構成されていることから、光に透過して目視すること、および可視光を用いた一般的な光学顕微鏡を用いも視認できず、明瞭に視認するためには、ＵＶ照明タイプの光学顕微鏡や電子顕微鏡などの特殊な顕微鏡を必要とする。そのため、本実施例２の透かし秘匿画像４２にあっても、上述した実施例１と同様に、秘匿性が極めて高く、真贋判定の精度を著しく向上できることから、偽造を防止する効果も高い。
【００４８】
本実施例２の偽造防止帳票３１にあっても、上述した実施例１における製造方法を用いて同様に製造することができる。
すなわち、第一印刷工程の透かし印刷工程では、透かし主画像１１と透かし秘匿画像４２とを一度に印刷できる版ローラ５２を使用する（図４参照）。ここで、版ローラ５２の印刷版５７には、透かし主画像１１の形状をなす凸部と、透かし秘匿画像４２を構成する極細線の形状を成す凸部とが形成される。そして、透かし秘匿画像４２の極細線を高精度で印刷できるように、版ローラ５２の印刷版５７への遮光インキの付着量を、適切に設定している。尚、この付着量は、極細線の線幅に応じて適宜設定される。透かし印刷工程は、上述した実施例１と同様に、インキローラ５４から印刷版５７の凸部に遮光インキを付着させ、該版ローラ５２の印刷版５７を原紙１０の表面に圧接することにより、該原紙１０の表面に、該遮光インキが転写されて、透かし主画像１１と極細線の彩文からなる透かし秘匿画像４２とが印刷される。
【００４９】
こうした透かし印刷工程の後に、上述した実施例１と同様に、紫外光を照射する乾燥工程を実行する（図示せず）。この乾燥工程により、原紙１０の表面に転写された遮光インキを定着させる。尚、実施例２の偽造防止帳票３１を製造する方法では、透かし印刷工程で使用する版ローラ５２の印刷版を、透かし標章部３２に合わせたものとする以外は、上述した実施例１と同様であることから、その詳細については適宜省略した。
【００５０】
上述した製造方法にあっては、透かし印刷工程で、一の印刷版（版ローラ５２）によって、透かし主画像１１と透かし秘匿画像４２とを一度に印刷できることから、透かし標章部３２の印刷に要する時間と手間とを可及的に抑制できる。そして、透かし標章部３２を精度良く印刷でき、かつその生産性も高い。
【００５１】
本発明にあっては、上述した実施例に限定されるものではなく、上述の実施例以外の構成についても本発明の趣旨の範囲内で適宜変更して実施可能である。
例えば、実施例１にあって、透かし秘匿画像を構成するマイクロ文字を、透かし主画像１１と隣接する位置に、遮光インキにより描いたものとしても良い。また、実施例２にあって、透かし秘匿画像を構成する彩文を、透かし主画像１１の内部に、遮光インキを塗布しない白抜き画像として形成するようにしても良い。
また、実施例１，２にあっては、マイクロ文字の透かし秘匿画像と、彩文の透かし秘匿画像とのいずれか一方のみを備えた構成であるが、マイクロ文字と彩文との両方からなる透かし秘匿画像を備えた構成としても良い。
また、実施例１，２では、印刷部を、遮光インキのベタ塗りにより形成されるものであるが、その他の構成として、該印刷部を網点や線により形成することができ、さらには、該網点や線によって階調表現するものとしても良い。
一方、実施例１，２の製造方法では、透かし印刷工程で版ローラを用いたものであるが、これに限らず、平板状の印刷版を原紙の表面に圧接するようにしても良い。
【符号の説明】
【００５２】
１  偽造防止帳票
２，３２  透かし標章部
５  印刷部
６  非印刷部
１０  原紙（シート状基材）
１１  透かし主画像
１２，４２  透かし秘匿画像
５７  印刷版
【図１】
2017030326.tif 000003
【図２】
2017030326.tif 000004
【図３】
2017030326.tif 000005
【図４】
2017030326.tif 000006
【図５】
2017030326.tif 000007
【図６】
2017030326.tif 000008
【図７】
2017030326.tif 000009
【図８】
2017030326.tif 000010